(57)【特許請求の範囲】
【請求項１】
カメラ装置の駆動回路基板を金属筐体内部に配置した電子機器に組み込まれるノイズ低減装置であって、
前記金属筐体と一体的に形成されて前記駆動回路基板の周縁を囲む導電性枠体を備え、
前記金属筐体と前記導電性枠体とで、前記駆動回路基板を収容する凹所が形成され、
前記導電性枠体には、当該導電性枠体の一部を切り欠いて形成した開口から枠体外部へ通じる通路を形成する一対の導電性通路壁が付設されるとともに、
該一対の導電性通路壁に跨って配置され、これら導電性通路壁および導電性通路底部と協働して、前記通路内を通って前記駆動回路基板に接続されるケーブルを囲む導電性封止部材を更に備え、
前記金属筐体は、外板と、前記外板に対向するベースフレームとを有し、
前記外板は、背面パネルと、前記背面パネルの上部に接合される上部カバーとを有し、
前記金属筐体の、前記上部カバーが前記ベースフレームに対向する箇所には前記導電性枠体および導電性通路壁が形成され、
前記背面パネルと前記ベースフレームとの間には液晶パネルが配置され、
前記導電性封止部材は柔軟性の高い材料で形成されたガスケットである、
ことを特徴とするノイズ低減装置。
【請求項２】
前記導電性通路壁は前記上部カバーに形成された多数の平行な突出片のうちの一対であり、
前記導電性封止部材は、前記導電性通路壁に加え前記多数の突出片に跨って配置されている、
ことを特徴とする請求項１に記載のノイズ低減装置。
【発明の詳細な説明】
【技術分野】
【０００１】
本発明は、例えばノート型パーソナルコンピュータ（以下、適宜、「ノートパソコン」と略称する）などの電子機器でカメラ装置を備えたものに組み込まれるノイズ低減装置に関する。
【背景技術】
【０００２】
周知のように、近年では、例えばノートパソコン等の電子機器においてカメラ装置を備えたものが普及しつつある。尚、特に、携帯性が求められるノートパソコン等については、堅牢性を確保する等のために、その筐体が例えばマグネシウム（Ｍｇ）などの金属材料を用いて成形により製作されるものが多くなって来ている。
【０００３】
電子機器に備えられるカメラ装置は、一般に、当該カメラ装置を駆動制御するカメラ駆動回路を実装したモジュール基板（カメラモジュール基板）に搭載されている。そして、カメラ装置の動作中においては、前記カメラ駆動回路から電波ノイズが輻射（放射）される。つまり、カメラモジュール基板上のカメラ駆動回路は、電波的には一種のノイズ源としての一面を有していることになる。
【０００４】
ところで、近年では、外部との無線通信機能を有する電子機器が広範に普及しており、例えばノートパソコン等についても、外部との無線通信のために無線通信用のアンテナを内蔵したものが多くなって来ている。また、例えばノートパソコン等の電子機器に備えられる表示パネルには、多くの場合、当該表示パネルの表示動作を駆動制御する表示駆動回路を実装した表示モジュール基板が付設されている。
【０００５】
従って、カメラ装置を電子機器に備える場合、当該カメラ装置のカメラ駆動回路と、同じ電子機器に内蔵された無線通信用アンテナ及び前記表示パネルの表示駆動回路などとの電波的な干渉が問題となる。つまり、カメラ駆動回路から輻射されるノイズが、無線通信用アンテナのアンテナ特性（特に受信感度）や表示パネルの表示特性に悪影響を及ぼすという問題が生じる。また、同じ電子機器に内蔵されたものでなくても、当該電子機器の近辺に存在する例えば携帯電話等の他の電子機器類についても、その動作特性等に悪影響を及ぼし兼ねない、といった問題がある。
【０００６】
かかる問題に対して、ノイズ源であるカメラ駆動回路を実装したカメラモジュール基板を導電体テープ等で被覆することでノイズの低減を図る方法が知られている。例えば、特許文献１には、導電繊維や導電シート等でなる導電体層を含むシート状の放射ノイズ抑制体を、回路基板に実装されたＣＰＵの上面に貼着して、回路基板から放射されるノイズを低減するようにした構成が開示されている。
【先行技術文献】
【特許文献】
【０００７】
【特許文献１】特開２０００−１３３９８６号公報
【発明の概要】
【発明が解決しようとする課題】
【０００８】
しかしながら、前記従来のようにカメラモジュール基板を導電体テープ等で覆う方法では、導電体テープ等の貼着作業に手間が掛かる上、基板を導電体で覆うことに伴って当該基板に絶縁物を設置する必要が生じ、部品点数の増加と作業工数の更なる増大を招くという問題があった。
【０００９】
本発明は、かかる技術課題に鑑みてなされたもので、比較的簡単な構成で、電子機器に備えるカメラ装置のカメラ駆動回路から輻射されるノイズが周囲に及ぼす影響を抑制できるノイズ低減装置を提供することを、基本的な目的とする。
【課題を解決するための手段】
【００１０】
このため、本発明に係るノイズ低減装置は、カメラ装置の駆動回路基板を金属筐体内部に配置した電子機器に組み込まれるノイズ低減装置であって、前記金属筐体と一体的に形成されて前記駆動回路基板の周縁を囲む導電性枠体を備え、前記金属筐体と前記導電性枠体とで、前記駆動回路基板を収容する凹所が形成され、前記導電性枠体には、当該導電性枠体の一部を切り欠いて形成した開口から枠体外部へ通じる通路を形成する一対の導電性通路壁が付設されるとともに、該一対の導電性通路壁に跨って配置され、これら導電性通路壁および導電性通路底部と協働して、前記通路内を通って前記駆動回路基板に接続されるケーブルを囲む導電性封止部材を更に備え、前記金属筐体は、外板と、前記外板に対向するベースフレームとを有し、前記外板は、背面パネルと、前記背面パネルの上部に接合される上部カバーとを有し、前記金属筐体の、前記上部カバーが前記ベースフレームに対向する箇所には前記導電性枠体および導電性通路壁が形成され、前記背面パネルと前記ベースフレームとの間には液晶パネルが配置され、前記導電性封止部材は柔軟性の高い材料で形成されたガスケットである、ことを特徴としたものである。
【発明の効果】
【００１１】
本発明によれば、カメラ装置の駆動回路基板の周縁を囲む導電性枠体と金属筐体とで形成された凹所内に前記駆動回路基板を収容することにより、当該駆動回路基板からのノイズが凹所の外部に輻射されることを有効に抑制できる。すなわち、金属筐体と一体的に形成された導電性枠体を設けるだけの比較的簡単な構成で、カメラ装置の駆動回路からのノイズが前記凹所の外部に輻射されて周囲に悪影響を及ぼすことを、有効に抑制することができる。また、前記導電性枠体の一部を切り欠いて形成した開口から枠体外部へ通じる通路を通ってカメラ装置の駆動回路基板に接続されるケーブルは、前記通路を形成する導電性通路壁および導電性通路底部と導電性封止部材とによって前記通路内で囲まれるので、前記ケーブルを通す通路部分からノイズが導電性枠体の外部に輻射されることも効果的に抑制できる。
【図面の簡単な説明】
【００１２】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの第１筐体の構成を概略的に示す分解斜視図
【図６】前記第１筐体のカメラモジュール基板取付部を拡大して示す拡大正面図
【図７】前記カメラモジュール基板取付部を拡大して示す拡大斜視図
【図８】前記カメラモジュール基板を取り付けた状態を拡大して示す拡大正面図
【図９】前記カメラモジュール基板の下方にガスケットを装着した状態を示す拡大正面図
【図１０】図９のＹ１０−Ｙ１０線に沿った縦断面図
【発明を実施するための形態】
【００１３】
本発明のノイズ低減装置は、上述の構成を基本として、以下のような態様をとることができる。すなわち、上述の構成のノイズ低減装置において、前記導電性通路壁は前記上部カバーに形成された多数の平行な突出片のうちの一対であり、前記導電性封止部材は、前記導電性通路壁に加え前記多数の突出片に跨って配置されている、ことが好ましい。
【００１４】
この場合には、導電性封止部材を、導電性通路壁に加え多数の突出片に跨って安定した配置とすることができる。
【００１５】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１６】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００１７】
これらの図に示すように、本実施形態に係る情報処理装置としてのノートパソコンＷは、例えば液晶式とされた表示パネル画面を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００１８】
前記表示部１０は、表示部側の筐体１１（第１筐体）に格納されてその周縁および背面が覆われており、一方、制御操作部３０は操作制御部側の筐体３１（第２筐体）に格納され、両筐体１１，３１は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ユーザから見た後辺側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００１９】
図５は、第１筐体１１の構成を概略的に示す分解斜視図である。この図に示すように、第１筐体１１は、正面視で四辺形の枠状をなすベースフレーム１４と、該ベースフレーム１４と対向配置される背面パネル１５と、該背面パネル１５の上部に接合される上部カバー１６とで構成されている。尚、前記ベースフレーム１４の基端側の左右両端部には、ヒンジ機構２０のカバー体２５（ヒンジカバー）が一体に形成されている。かかるヒンジカバー２５をベースフレーム１４とは別体に設けても良い。このベースフレーム１４の枠体の前面部分は、表示部１０の組立状態で、第１筐体１１の外縁と表示画面１２のガラス板との間に位置する縁取り部分となる所謂エスカッション部分１４ａであり、一種の化粧板の役割を果たしている。
【００２０】
表面がガラス板で覆われた液晶パネル１８は、ベースフレーム１４と背面パネル１５及び上部カバー１６との間に保持される。この背面パネル１５と上部カバー１６とを一体的に接合することで、第１筐体１１の外板１７（アウタパネル）が構成されている。
また、前記液晶パネル１８の下端側には、その表示を駆動制御する表示駆動回路を実装した表示モジュール基板Ｓｄが付設されている。
【００２１】
前記背面パネル１５は、好ましくは機械的剛性等の点で、例えばマグネシウム（Ｍｇ）等の金属製であり、ベースフレーム１４は、好ましくは、例えばプラスチック製である。また、上部カバー１６は、例えば天井パネル１６ａ等を含む一部がプラスチック製で、他の部分は例えばマグネシウム等の金属製である。尚、第２筐体３１の主要部分も、好ましくは機械的剛性等の点で、例えばマグネシウム等の金属製である。
【００２２】
本実施形態では、前記第１筐体１１側に、外部との無線通信用のアンテナＡｎが取り付けられる。この無線通信用アンテナＡｎとしては、基板（アンテナ基板）上にアンテナパターンを構成した薄型でコンパクトなものが採用されている。尚、かかる無線通信用アンテナＡｎをノートパソコンＷの筐体に取り付ける場合、より良好なアンテナ特性を確保するためには、一般に、使用時にユーザの手指が触れ易い操作制御部側の第２筐体３１よりも表示部側の第１筐体１１に取り付ける方が好ましい、とされている。
【００２３】
また、表示部側の第１筐体１１にアンテナを取り付ける場合、アンテナ基板Ａｎの液晶パネル１８からの距離（つまり、液晶パネル１８の表示モジュール基板Ｓｄからの距離）を大きく保つほど、表示モジュール基板Ｓｄに実装されたノイズ発生源としての表示駆動回路から遠くなり、より良好なアンテナ特性が得られることが知られている。
【００２４】
このため、本実施形態では、第１筐体１１の前記一辺１１ｒ側（ヒンジ側）と対向する他辺１１ｆ側（図１及び図４参照）の端部に位置する上部カバー１６の天井パネル１６ａの内面に沿って、アンテナ基板Ａｎが配置されている。本実施形態では、４枚のアンテナ基板Ａｎが、上部カバー１６のプラスチック製天井パネル１６ａに沿って平行に延びるように配置され、該天井パネル１６ａの内面に、例えば接着剤を適用して貼り付けられている。
【００２５】
尚、上部カバー１６の天井パネル１６ａを除く部分は、例えばマグネシウム（Ｍｇ）等の金属製であり、アンテナ基板Ａｎは、その側端部の近傍が、金属製のクリップ金具（不図示）を介して上部カバー１６の金属部分に接続されて接地される。前記クリップ金具には、アンテナ基板Ａｎ上のアンテナ素子に接続されたアンテナケーブル（不図示）の接続端部の近傍が保持される。
【００２６】
本実施形態では、この４枚のアンテナ基板Ａｎの中央の２枚の間に位置する領域に、カメラ装置Ｃｍが配置されている。このカメラ装置Ｃｍは、当該カメラ装置Ｃｍを駆動制御するカメラ駆動回路（不図示）を実装したモジュール基板Ｓｃ（カメラモジュール基板）に搭載されている。該カメラモジュール基板Ｓｃは、正面視で長方形の板状に形成されている。尚、カメラ装置Ｃｍの配設位置に対応して、第１筐体１１のベースフレーム１４のエスカッション部分１４ａの上部中央には、カメラ装置Ｃｍのレンズを臨ませるためのレンズ開口部１４ｈが設けられている。
【００２７】
図６及び図７は前記第１筐体１１のカメラモジュール基板Ｓｃの取付部をそれぞれ拡大して示す拡大正面図および拡大斜視図、図８は前記取付部にカメラモジュール基板Ｓｃを取り付けた状態を拡大して示す拡大正面図、図９は前記カメラモジュール基板Ｓｃの下方に導電性ガスケットを装着した状態を示す拡大正面図、また、図１０は、図９のＹ１０−Ｙ１０線に沿った縦断面図である。
【００２８】
図６及び図７から良く分かるように、第１筐体１１の上部カバー１６の天井パネル１６ａの近傍で、正面視において中央の２枚のアンテナ基板Ａｎの間に位置する領域、つまりカメラ装置Ｃｍの配設位置に対応する領域には、カメラモジュール基板Ｓｃを収容する基板収容凹所４０が設けられている。該基板収容凹所４０は、より好ましくは、上部カバー１６の金属部分と一体成形されており、上部カバー16の壁部でなる底壁部４１と、カメラモジュール基板Ｓｃの周縁を囲む正面視で長方形状の枠体部４２とで構成されている。前記底壁部４１には、ネジ部材３９（図８及び図９参照）を用いて前記カメラモジュール基板Ｓｃを締結固定するための複数の固定用ボス部４１ｂが立設されている。
【００２９】
前記枠体部４２は、天井パネル１６ａと近接した上壁部４２ａと、該上壁部４２ａに対向して平行に延びる下壁部４２ｂと、該下壁部４２ｂと前記上壁部４２ａとを連結する左右の側壁部４２ｃ，４２ｄとで構成されている。
図８及び図９から良く分かるように、カメラモジュール基板Ｓｃは、基板収容凹所４０内に収容した上でネジ部材３９を固定用ボス部４１ｂにねじ込むことにより、前記基板収容凹所４０内に（つまり、上部カバー１６の金属部分でなる底壁部４１と、上部カバー１６の金属部分と一体成形された導電性の枠体部４２とで形成された凹所４０内に）固定されている。
【００３０】
このように、上部カバー１６の金属部分でなる底壁部４１と、上部カバー１６の金属部分と一体成形された導電性の枠体部４２とで形成された基板収容凹所４０内に、カメラ装置Ｃｍのカメラモジュール基板Ｓｃを収容することにより、当該カメラモジュール基板Ｓｃからのノイズが基板収容凹所４０の外部に輻射されることを有効に抑制できる。すなわち、第１筐体１１の上部カバー１６の金属部分と一体的に形成された導電性枠体部４２を設けるだけの比較的簡単な構成で、カメラ装置Ｃｍのカメラモジュール基板Ｓｃからのノイズが前記凹所４０の外部に輻射されて周囲に悪影響を及ぼすことを、有効に抑制することができるのである。
【００３１】
すなわち、当該カメラ装置Ｃｍのカメラモジュール基板Ｓｃから輻射されるノイズが、同じノートパソコンＷに内蔵された無線通信用アンテナＡｎのアンテナ特性（特に受信感度）や液晶パネル１８の表示特性、更には、当該ノートパソコンＷの近辺に存在する例えば携帯電話等の他の電子機器類についても、その動作特性等に悪影響を及ぼすことを、有効に抑制することができる。
【００３２】
また、前記基板収容凹所４０の枠体部４２の一部を構成する下壁部４２ｂには、その一部を切り欠いて開口部４２ｈが形成されている。この下壁部４２ｂの外側には、下壁部４２ｂと一体成形された多数の平行な突出片４３が外方に向かって延びている。この多数の突出片４３は、後述するガスケット５０の導通と、基板収容凹所４０の下壁部４２ｂの機械的強度を向上させている。これら突出片４３の中央の２枚４３ｃは、前記開口部４２ｈの左右の縁部から外方へ向かって延設され、開口部４２ｈから枠体部４２の外部へ通じる通路４４を形成する一対の導電性通路壁４３ｃを構成している。
【００３３】
この通路４４の底部には、カメラ装置Ｃｍのカメラモジュール基板Ｓｃに接続されるケーブル４９（所謂、インターフェイス・ケーブル）を載せるケーブル台座４４ｂが、第１筐体１１の上部カバー１６の金属部分と一体成形されている。
更に、前記下壁部４２ｂの左右延長部分４２ｅの外側には、導電性封止部材としての導電性ガスケット５０を載置させるガスケット装着部４５が、第１筐体１１の上部カバー１６の金属部分と一体成形されている。
【００３４】
本実施形態では、図９及び図１０に示すように、前記開口部４２ｈから枠体部４２の外部へ通じる通路４４を形成する一対の導電性通路壁４３ｃを跨るようにして、導電性ガスケット５０が配設されている。この導電性ガスケット５０は、導電性が付与された例えばゴム又は軟質樹脂など柔軟性の高い材料を用いて、図１０に示されるように、より好ましくは押圧力に対して弾性変形するように中空状に形成されている。そして、この導電性ガスケット５０が、前記導電性通路壁４３ｃ、多数の突出片４３および導電性通路台座４４ｂと協働して、前記通路４４内を通ってカメラモジュール基板Ｓｃに接続されるインタフェース・ケーブル４９を囲んでいる。
【００３５】
このように、導電性の枠体部４２の一部を切り欠いて形成した開口部４２ｈから枠体部４２の外部へ通じる通路４４を通ってカメラ装置Ｃｍのカメラモジュール基板Ｓｃに接続されるケーブル４９は、前記通路４４を形成する導電性通路壁４３ｃおよび導電性通路台座４４ｂと導電性ガスケット５０とによって前記通路４４内で囲まれるので、前記ケーブル４９を通す通路４４部分からノイズが導電性枠体部４２の外部に輻射されることも効果的に抑制できるのである。
【００３６】
尚、以上の説明は、ノートパソコンを例にとったものであったが、本発明はかかる場合に限定されるものではなく、カメラ装置の駆動回路基板を金属筐体内部に配置した他の種々の電子機器に組み込まれるノイズ低減装置においても、有効に適用することができる。
【００３７】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００３８】
本発明は、例えばノートパソコンなどの電子機器におけるノイズ低減装置として、有効に利用することができる。
【符号の説明】
【００３９】
１１  第１筐体
１６  第１筐体の上部カバー
１８  液晶パネル
４０  基板収容凹所
４１  底壁部
４２  枠体部
４２ｈ  枠体部の開口部
４３ｃ  通路壁
４４    通路
４４ｂ  通路の台座
４５  ガスケット装着部
４９  インタフェース・ケーブル
５０  導電性ガスケット
Ｃｍ  カメラ装置
Ｓｃ  カメラモジュール基板
Ｗ  ノートパソコン
【図１】
0005606035.tif 000002
【図２】
0005606035.tif 000003
【図３】
0005606035.tif 000004
【図４】
0005606035.tif 000005
【図５】
0005606035.tif 000006
【図６】
0005606035.tif 000007
【図７】
0005606035.tif 000008
【図８】
0005606035.tif 000009
【図９】
0005606035.tif 000010
【図１０】
0005606035.tif 000011